(57)【要約】      （修正有）【課題】魚介類の負圧缶の蓋を，指一本の小さな力で，幼児から高齢者まで誰にでも容易に缶蓋の開口をすることが出来，かつ，安全に開口することが出来る新規の缶蓋を提供する。【解決手段】タブ先端部２５と蓋板側基端部との長さ領域の寸法を最短距離に形成し，折り曲げ用の切れ目線１７の両端部及びと加締部とのそれぞれの間隔の長さを短く，また他方をそれよりも長く両端部を異なる長さに形成し，操作部２１を引き上げたとき，両端部ととが同時に切断されることなく，一方づつ準次に切断しつつ開口部前部１１ｂが容易に引き上げられるよう形成し，缶蓋の開口を容易で安全に行なうことが出来るようにする。【選択図】図８
2016222340.tif 000002
【特許請求の範囲】
【請求項１】
蓋板（１２）の開口部先端部（１１ａ）の上面に折り曲げ可能な取付片（２０）を介して取り付けたタブ（２）を，タブ後部の操作部（２１）を軽く引き起こし，取付片（２０）を支点として回動させ最大の圧力が集中したタブ先端部（２５）で，切れ目線（１０）の破断部（１０ｄ）を初期切断し，引き続き操作部（２１）を引き起こし，蓋板（１２）の加締部（１４）後部に形成された折り曲げ用切れ目線（１７）を介して，開口部先端部（１１ａ）を缶本体内に折り込み，次いで，操作部（２１）を引き上げ開口部の全てを切断してフルオ−プンに開口を完了する缶蓋において，
タブ操作部（２１）を軽く引き起こす事が出来，且つ，切れ目線（１０）の破断部（１０ｄ）を初期切断する機能のみを備えるべく，タブ先端部（２５）の押圧部（２２）に隣接して加締部（１４）を形成し，蓋板側基端部（２０ｂ）とタブ先端部（２５）との長さ領域の寸法を，機能上最小限短い長さに形成したことを特徴とする缶蓋。
【請求項２】
請求項１に記載の缶蓋において，前記タブ（２）の操作部（２１）を軽く引き起こすことが出来，また破断部（１０ｄ）を初期切断後，加締部（１４）を介して，開口部先端部（１１ａ）を所定の位置から缶内に折り込むことが出来るよう，蓋板（１２）の加締部（１４）の後方に，直線状の折り曲げ用の切れ目線（１７）を形成したことを特徴とする缶蓋。
【請求項３】
請求項１乃至請求項２の何れかに記載の缶蓋において，缶内に折り込むための折り曲げ用の切れ目線（１７）を介して折り込まれた開口部先端部（１１ａ）を，小さな力で容易に引き上げる事が出来るよう，折り曲げ用の切れ目線（１７）の両端部（１７ａ）及び（１７ｂ）と加締部（１４）とのそれぞれの間隔の長さを短く，また他方をそれよりも長く両端部を異なる長さに形成し，操作部（２１）を引き上げたとき，両端部（１７ａ）と（１７ｂ）とが同時に切断される事無く，一方づつ順次に切断しつつ開口部前部（１１ｂ）が容易に引き上げられるよう，折り曲げ用切れ目線（１７）の中心線“Ｄ”を横中心線“Ｌ”に対し，蓋板（１２）の中心部を支点に傾斜して設け，直線状の折り曲げ用切れ目線（１７）を形成したことを特徴とする缶蓋。
【請求項４】
請求項１乃至請求項３の何れかに記載の缶蓋において，タブ（２）の操作部（２１）を引き上げ，缶本体内から開口部先端部（１１ａ）及び前部（１１ｂ）を引き上げるとき，引き上げの力が蓋板（１２）の上面に広く拡散する事なく開口部前部（１１ｂ）に引き上げ力が集中すべく，開口部（１１）と小さな面積の開口部前部（１１ｂ）との間を仕切る折り曲げ溝（１６）を，前記折り曲げ用切れ目線（１７）と平行に形成したことを特徴とする缶蓋。
【発明の詳細な説明】
【技術分野】
【０００１】  本発明は，魚介及び果実等その他のフルオ−プン缶易開封式（イ−ジ−オ−プンエンド）に関するものである。
【背景技術】
【０００２】  従来，魚介，果実等その他の缶の缶蓋は，タブ機構による易開封な缶蓋として構成されている。【０００３】  フルオ−プン缶のイ−ジ−オ−プンエンドは，巻き締めカ−ル部の内周縁部近くにエンドレス状に切れ目線が刻印されている。この切れ目線の真上にタブの中心線の延長上にある先端部が位置するようにタブが取り付けられており，タブの後方操作部のリング部を引き起こすことにより，タブのタブ固着部を支点としてタブ先端が下方に押し下げられ，タブ先端の真下に設けられたエンドレス状の切れ目線がタブ先端によって切断され，缶本体内に折り込まれる。次いで，垂直に引き起こされたタブのリング部に指を差し入れ，親指を缶の蓋に当て引き上げることにより，蓋板上のエンドレス状の切れ目線は順次引き裂かれてフルオ−プン状に開封されるものである。
【発明の開示】
【発明が解決しようとする課題】
【０００４】  ところで，フルオ−プ方式の問題点は，開口片を形成する切れ目線を初期切断するためにタブが引き起こされて回動する際，指先を蓋板とタブの操作部下部に差し込むための遊びが無く，丁度蓋板に密着した板バネを引き起こすことに似ており，タブの操作部の下部に爪先を入れてタブを引き起こすには，人により，大きな力の負担で，特に幼児，高齢者には開口が出来ないとゆう点にある。本来望まれているバリアフリ−，つまり誰でも様々な方法で簡単に指先で開口することが出来るとゆう域に達していないのが現状である。【０００５】  本発明は，このような事情に鑑みなされたものであり，その目的は，タブをより小さな力で老弱男女誰でも簡単に引き起こすことが出来，かつ，所定の大きさに容易に開口することが出来るユニバ−サルデザインの缶蓋を提供することにある。
【課題を解決するための手段】
【０００６】  上記の目的を達成するため，本発明の缶蓋は，次のように構成したものである。
請求項１に記載の発明は，蓋板（１２）の開口部先端部（１１ａ）の上面に折り曲げ可能な取付片（２０）を介して取り付けたタブ（２）を，タブ後部の操作部（２１）を軽く引き起こし，取付片（２０）を支点として回動させ，最大の圧力が集中したタブ先端部（２５）で，切れ目線（１０）の破断部（１０ｄ）を初期切断し，引き続き操作部（２１）を引き起こし，蓋板（１２）の加締部（１４）後部に形成された折り曲げ用切れ目線（１７）を介して，開口部先端部（１１ａ）を缶本体内に折り込み，次いで，操作部（２１）を引き上げ開口部の全てを切断してフルオ−プンに開口を完了する缶蓋において，
タブ操作部（２１）を軽く引き起こすことが出来，且つ，切れ目線（１０）の破打部（１０ｄ）を初期切断する機能のみを備えるべく，タブ先端部（２５）の押圧部（２２）に隣接して加締部（１４）を形成し，蓋板側基端部（２０ｂ）とタブ先端部（２５）との長さ領域の寸法を，機能上最小限短い長さに形成したことを特徴としたものである。【０００７】  また，前記タブ（２）の操作部（２１）を軽く引き起こすことが出来，また破断部（１０ｄ）を初期切断後，加締部（１４）を介して，開口部先端部（１１ａ）を所定の位置から缶内に折り込むことが出来るよう，蓋板（１２）の加締部（１４）の後方に，直線状の折り曲げ用の切れ目線（１７）を形成することが好ましい
（請求項２）。【０００８】  また，缶内に折り込むための折り曲げ用の切れ目線（１７）を介して折り込まれた開口部先端部（１１ａ）を，小さな力で容易に引き上げることが出来るよう，折り曲げ用の切れ目線（１７）の両端部（１７ａ）及び（１７ｂ）と加締部（１４）とのそれぞれの間隔の長さを短く，また他方をそれよりも長く両端部を異なる長さに形成し，操作部（２１）を引き上げたとき，両端部（１７ａ）と（１７ｂ）とが同時に切断されることなく，一方づつ順次に切断しつつ開口部前部（１１ｂ）が容易に引き上げられるよう，折り曲げ用切れ目線（１７）の中心線“Ｄ”を横中心線“Ｌ”に対し，蓋板（１２）の中心部を支点に傾斜して設けられ，直線状の折り曲げ用切れ目線（１７）を形成することが好ましい（請求項３）。【０００９】  また，タブ（２）の操作部（２１）を引き上げ，缶本体内から開口部先端部（１１ａ）及び前部（１１ｂ）を引き上げるとき，引き上げの力が蓋板（１２）の上面に広く拡散することなく開口部前部（１１ｂ）に引き上げ力が集中すべく，開口部（１１）と小さな面積の開口部前部（１１ｂ）との間を仕切る折り曲げ溝（１６）を，前記折り曲げ用切れ目線（１７）と平行に形成することが好ましい（請求項４）。
【発明の効果】
【００１０】  以上説明したように本発明によれば，次のような優れた効果を奏する。
（１）請求項１の発明によれば，蓋板側基端部とタブ先端部の長さ領域が極短いため，タブの引き起こしが軽く，また，より大きな力が先端に集中するため，誰にでも容易に開口すまることができる。
（２）請求項２の発明によれば，折り曲げ用切れ目線（１７）を介して，最初に操作部（２１）を引き起こしたとき，折り曲げ用切れ目線（１７）を介してタブ（２）が蓋板（１２）より上方に浮き上がり，操作部（１２）を軽く引き起こすことが出来，また開口部先端部（１１ａ）を所定の位置から缶内に容易に折り込むことが出来る。
（３）請求項３の発明によれぱ，缶内に折り込まれた開口部先端部（１１ａ）を缶内から引き上げるとき，折り曲げ用切れ目線（１７）の両端部（１７ａ）及び（１７ｂ）と加締部（１４）とのそれぞれの間隔が異なるため操作部（２１）を引き上げたとき，両端部（１７ａ）と（１７ｂ）とが同時に力が掛かることなく，加締部（１４）から近い端部（１７ａ）から（１７ｂ）へと順次に切り裂かれるため，引き起こしの力は従来の缶蓋に比べ半分の力に軽減される。
（４）請求項４の発明によれば，蓋板上面に，開口部と開口部前部との間に折り曲げ溝を設けたため，広い領域をもつ開口部に引き上げ力か拡散することなく，小さく限定された面積をもつ開口部前部は折り曲げ溝を介して引き上げ力が集中し，誰にでもスム−ズに，且つ，安全に缶蓋を開口することが出来る。
【発明を実施するための最良の形態】
【００１１】  以下，本発明を実施するための最良の形態を添付図面に基づいて詳しく説明する。
図１乃至図１２に本発明の実施形態を示す。これは，食料缶の缶蓋へ本発明を適応したその一例である。
〈蓋板１２〉
図１及び図４に示すように，缶蓋の内周縁部近くにエンドレス状の切れ目線１０が刻印されている。この切れ目線１０の破断部１０ｄの真上に，タブの中心線Ｌの延長上に形成された（図１参照）タブ先端部２５（図３参照）が位置するように加締部１４が形成されている。また，缶内より開口部前部１１ｂを引き上げるとき，引き上げ力が開口部前部１１ｂに集中するように，開口部１１と開口部前部１１ｂとを仕切る折り曲げ用溝１６が形成されている。また，破断部１１ｄが初期切断された後，先端部１１ａの残りの切れ目線１０の部分を容易に切断して缶内に折り込むべく，直線上折り曲げ用切れ目線１７が形成されている。また，折り曲げ用切れ目線１７の端部１７ａ及び１７ｂと加締部１４との間隔をそれぞれ異なった間隔に（図４参照）形成されている。
〈タブ２〉
図７乃至図１２に示すように，開口部前部１１ａを押圧して蓋板１２から切断して缶本体内に折り込み，開口部１１を蓋板１２の上面から引き上げてフルオ−プンに開口するものである。
図５及び図６にタブ２の構造を示す。タブ２は，図５に示すように，タブ先端部２５より後方に続くタブ２の引き起こしを行なうリング状の操作部２１が形成されていると共に，他方の先端部には，開口部先端部１１ａを押圧して初期切断するためのタブ先端部２５が形成されている。また，図３及び図７に示すように，タブ先端部２５は，操作部２１を容易に引き起こすことが出来るように蓋板側基端部２０ｂから出来るだけ近く（図３参照）に形成されており，又，操作部２１を引き起こしたとき，タブ側基端部２０ｅが蓋板１２から浮き上がらないように，また，先端部１１ａを缶本体内に容易に折り込むことが出来るように，蓋板側基端部２０ｂよりも後方の位置に形成されている。【００１２】  次に，上記のように構成された食料缶の開口動作について説明する。
図７に示すように，タブ２の操作部２１を引き起こすと，加締部１４は折り曲げ用切れ目線１７を介して上方へ浮き上がり，指先が操作部１２に十分掛かるように極軽く起き上がり，更に引き起こすと，開口部破断部１０ｄを初期切断し（図８参照），引き続き操作部２１を垂直に引き起こすと（図９参照），開口部前部１１ｂの先端部１１ａは折り曲げ用切れ目線１７を介して，開口部先端部１１ａの残りの切れ目線１０を切断して缶本体内に垂直に折り込み，次に，操作部２１のリング部に指を掛け手前斜め上方向に向け引き上げると，開口部前部１１ｂは広い面積の開口部１１に引き上げ力が拡散することを防止する仕切り線折り曲げ溝１６を介し，引き上げ力が開口部１１ｂに集中し，加締部１４と短い間隔の長さに設けられた折り曲げ用切れ目線１７の端部１７ａが僅かな力で切断され，引き続き操作部２１を引き上げることにより他方の端部１７ｂへと順次に容易に切断され（図１１参照），引き続きタブ２を引き上げる（図１２参照）ことにより，開口部１１は完全にフルオ−プンに開口される。
【図面の簡単な説明】
【００１３】
【図１】  本発明の実施形態に係わるフルオ−プンかん用の缶蓋を示す平面図である。
【図２】  図１中タブ取り付け部分拡大平面図である。
【図３】  図２中３−３線矢視断面図である。
【図４】  本発明の実施形態に係わるフルオ−プン缶の缶蓋を示す平面図である。
【図５】  本発明の実施形態に係わるフルオ−プン缶のタブを示す平面図である。
【図６】  図５中６−６線矢視断面図である。
【図７】  タブを引き起こした状態を示す断面図である。
【図８】  引き続きタブを引き起こし初期切断した状態を示す断面図である。
【図９】  更にタブを垂直に引き起こし，折り曲げ用切れ目線を介して開口部先端部が缶内に折り込まれた状態を湿す断面図である。
【図１０】  開口部先端部が缶内に折り込まれた状態を示す平面図である。
【図１１】  タブを引き上げ折り曲げ溝を介して先端部を缶内より引き上げた状態を示す断面図である。
【図１２】  引き続きタブを引き上げ開口部の残りの切れ目線全部を引き裂いている状態を示す断面図である。
【符号の説明】
【００１４】１  缶蓋
２  タブ
３  缶本体
１０  切れ目線
１０ｄ  切れ目線破断部
１１  開口部
１１ａ  開口部先端部
１１ｂ  開口部前部
１２  蓋板
１４  タブ加締部
１６  仕切り線折り曲げ溝
１７  折り曲げ用切れ目線
１７ａ  折り曲げ用切れ目線
１７ｂ  折り曲げ用切れ目線
２０  タブ取付片
２０ｂ  蓋板側基端部
２０ｅ  タブ側基端部
２１  操作部
２２  押圧部
２５  タブ先端部
Ｌ  中心線
Ｄ  開口部前部の中心線
【図１】
2016222340.tif 000003
【図２】
2016222340.tif 000004
【図３】
2016222340.tif 000005
【図４】
2016222340.tif 000006
【図５】
2016222340.tif 000007
【図６】
2016222340.tif 000008
【図７】
2016222340.tif 000009
【図８】
2016222340.tif 000010
【図９】
2016222340.tif 000011
【図１０】
2016222340.tif 000012
【図１１】
2016222340.tif 000013
【図１２】
2016222340.tif 000014